【手続補正書】
【提出日】平成17年3月9日(2005.3.9)
【手続補正１】
【補正対象書類名】明細書
【補正対象項目名】特許請求の範囲
【補正方法】変更
【補正の内容】
【特許請求の範囲】
【請求項１】
所定のデータをＮ系統（Ｎは任意の整数）のデータとして、このＮ系統のデータを保持させ、
その保持されたＮ系統のデータを所定の出力順序データで示される順序により順次出力し、その出力されるＮ個のデータを、所定の周波数間隔で周波数軸上に分散配置されたデータに変換する
変調方法。
【請求項２】
所定のデータから第１のインターリーブされたデータと第２のインターリーブされたデータを生成し、
この第１及び第２のインターリーブされたデータを同時に使用して、所定の周波数間隔で周波数軸上に分散配置されたデータに変換する
変調方法。
【請求項３】
所定のデータが同時に供給されるＮ個（Ｎは任意の整数）のレジスタと、
該Ｎ個のレジスタに供給されるデータの出力順序を指定するデータを生成させる出力順序データ生成手段と、
供給されるＮ個のデータを、上記出力順序データ生成手段により指定された順序で、所定の周波数間隔で周波数軸上に分散配置されたデータに変換する逆フーリエ変換手段とを備えた
変調装置。
【請求項４】
請求項３記載の変調装置において、
上記出力順序データ生成手段として、カウント処理により出力順序に対応したデータを順次生成させるカウンタを使用した
変調装置。
【請求項５】
請求項３記載の変調装置において、
上記出力順序データ生成手段として、予め用意されたデータを順次出力させるシフトレジスタを使用した
変調装置。
【請求項６】
請求項３記載の変調装置において、
畳み込み符号化手段と、
該畳み込み符号化手段により符号化された２系統のデータの内の一方の系統のデータを、このデータの１クロック期間遅延させる遅延手段と、
上記出力順序データ生成手段が出力する出力順序データを一時的にホールドさせるホールド手段とを備え、
該遅延手段により遅延された一方の系統のデータと、上記畳み込み符号化手段が出力する他方の系統のデータとを、上記レジスタに供給する構成とした
変調装置。
【請求項７】
請求項３記載の変調装置において、上記逆フーリエ変換手段は、Ｑビット（Ｑは２以上の整数）のワードのデータを並列処理する
変調装置。
【請求項８】
所定のデータをインターリーブする第１及び第２のインターリーブ手段と、
上記第１及び第２のインターリーブ手段から出力されるデータを、異なるポイントに入力させて、所定の周波数間隔で周波数軸上に分散配置されたデータに変換する逆フーリエ変換手段とを備えた
変調装置。
【請求項９】
請求項８記載の変調装置において、
上記第１のインターリーブ手段の出力を差動符号化する第１の差動符号化手段と、
上記第２のインターリーブ手段の出力を差動符号化する第２の差動符号化手段とを備え、
上記第１及び第２の差動符号化手段の符号化出力を、上記逆フーリエ変換手段に供給する
変調装置。
【請求項１０】
所定の周波数間隔で周波数軸上に分散配置されたデータを、所定単位毎にＮポイント（Ｎは任意の整数）のデータに変換し、
この変換されたＮポイントのデータから、所定の出力順序データにより指定されたポイントのデータを選択して出力する
復調方法。
【請求項１１】
所定の周波数間隔で周波数軸上に分散配置されたデータを、所定単位毎にＮポイント（Ｎは任意の整数）のデータに変換するフーリエ変換手段と、
該フーリエ変換手段が出力するＮポイントのデータから、指定されたポイントのデータを選択して出力する選択手段と、
該選択手段で選択するポイントを指定するデータを生成させる出力順序データ生成手段とを備えた
復調装置。
【請求項１２】
請求項１１記載の復調装置において、
上記出力順序データ生成手段として、カウント処理により出力順序に対応したデータを順次生成させるカウンタを使用した
復調装置。
【請求項１３】
請求項１１記載の復調装置において、
上記出力順序データ生成手段として、予め用意されたデータを順次出力させるシフトレジスタを使用した
復調装置。
【請求項１４】
請求項１１記載の復調装置において、
上記フーリエ変換手段が出力するＮポイントのデータを、第１及び第２の選択手段に供給し、それぞれの選択手段で、出力順序データ生成手段の出力に基づいて個別にポイントを選択して出力させる
復調装置。
【請求項１５】
請求項１４記載の復調装置において、
上記第１の選択手段で選択されたポイントのデータと、上記第２の選択手段で選択されたポイントのデータとが供給され、その２系統のデータから差動復調を行う差動復調手段を備えた
復調装置。
【請求項１６】
請求項１５記載の復調装置において、
上記出力順序データ生成手段の出力を、直接上記第１の選択手段に供給すると共に、所定期間遅延する遅延手段を介して上記第２の選択手段に供給する
復調装置。
【請求項１７】
請求項１４記載の復調装置において、
上記第１の選択手段で選択されたポイントのデータと、上記第２の選択手段で選択されたポイントのデータとが供給され、その２系統のデータからビタビ復号を行うビタビ復号手段を備えた復調装置。
【請求項１８】
請求項１１記載の復調装置において、
上記フーリエ変換手段が出力するＮポイントのデータを、第１，第２，第３及び第４の選択手段に供給し、それぞれの選択手段で、出力順序データ生成手段の出力に基づいて個別にポイントを選択し、
上記第１及び第２の選択手段で選択されたポイントのデータを、第１の差動復調手段に供給して差動復調し、
上記第３及び第４の選択手段で選択されたポイントのデータを、第２の差動復調手段に供給して差動復調し、
上記第１及び第２の差動復調手段で差動復調されたデータを、ビタビ復号手段に供給してビタビ復号する
復調装置。
【請求項１９】
請求項１８記載の復調装置において、
上記出力順序データ生成手段として、第１及び第２の出力順序データ生成手段を備え、
上記第１の出力順序データ生成手段の出力を、直接上記第１の選択手段に供給すると共に、所定期間遅延する遅延手段を介して上記第２の選択手段に供給し、
上記第２の出力順序データ生成手段の出力を、直接上記第３の選択手段に供給すると共に、所定期間遅延する遅延手段を介して上記第４の選択手段に供給する
復調装置。
【請求項２０】
請求項１８記載の復調装置において、
上記第１，第２，第３及び第４の選択手段で選択するポイントを指定するデータを、それぞれの選択手段毎に個別の出力順序データ生成手段から供給する
復調装置。
【請求項２１】
請求項１８記載の復調装置において、
上記出力順序データ生成手段の出力を、直接上記第３の選択手段に供給し、所定期間遅延する第１の遅延手段を介して上記第４の選択手段に供給し、
上記出力順序データ生成手段の出力に所定の値を加算する演算手段の出力を、直接上記第１の選択手段に供給し、所定期間遅延する第２の遅延手段を介して上記第２の選択手段に供給する
復調装置。
【手続補正２】
【補正対象書類名】明細書
【補正対象項目名】０１５２
【補正方法】変更
【補正の内容】
【０１５２】
【発明の効果】
本発明によると、逆フーリエ変換するためにデータを供給する順序でインターリーブされ、インターリーブ処理のための処理が簡単になると共に、インターリーブ処理に時間がかからなくなり、変調処理にかかる時間を短縮できる。
【手続補正３】
【補正対象書類名】明細書
【補正対象項目名】０１５３
【補正方法】削除
【補正の内容】
【手続補正４】
【補正対象書類名】明細書
【補正対象項目名】０１５４
【補正方法】削除
【補正の内容】
【手続補正５】
【補正対象書類名】明細書
【補正対象項目名】０１５５
【補正方法】削除
【補正の内容】
【手続補正６】
【補正対象書類名】明細書
【補正対象項目名】０１５６
【補正方法】削除
【補正の内容】
【手続補正７】
【補正対象書類名】明細書
【補正対象項目名】０１５７
【補正方法】変更
【補正の内容】
【０１５７】
また本発明によると、所定のデータから第１のインターリーブされたデータと第２のインターリーブされたデータを生成し、この第１及び第２のインターリーブされたデータを同時に使用して、所定の周波数間隔で周波数軸上に分散配置されたデータに変換することで、インターリーブされたデータを短時間で逆フーリエ変換することが可能になり、変調処理時間を短縮できる。
【手続補正８】
【補正対象書類名】明細書
【補正対象項目名】０１５９
【補正方法】変更
【補正の内容】
【０１５９】
また本発明によると、逆フーリエ変換手段へのデータ入力時にインターリーブされることになり、インターリーブ用のメモリなどの大規模な回路が必要ないと共に、入力選択と同時にインターリーブされるので、インターリーブ処理を行うことにより、変調処理に時間がかかることがない。
【手続補正９】
【補正対象書類名】明細書
【補正対象項目名】０１６０
【補正方法】変更
【補正の内容】
【０１６０】
この場合、出力順序データをカウンタでのカウント処理で生成させることで、カウンタを使用して簡単に信号順序データを生成させて、インターリーブ処理が行える。
【手続補正１０】
【補正対象書類名】明細書
【補正対象項目名】０１６１
【補正方法】変更
【補正の内容】
【０１６１】
また、出力順序データとしてシフトレジスタに予め用意されたデータを順次出力させるようにしたことで、シフトレジスタを使用した簡単な構成で、インターリーブ処理が行える。
【手続補正１１】
【補正対象書類名】明細書
【補正対象項目名】０１６２
【補正方法】変更
【補正の内容】
【０１６２】
また、畳み込み符号化手段と、この畳み込み符号化手段により符号化された２系統のデータの内の一方の系統のデータを、このデータの１クロック期間遅延させる遅延手段と、出力順序データ生成手段が出力する出力順序データを一時的にホールドさせるホールド手段とを備えて、遅延手段により遅延された一方の系統のデータと、畳み込み符号化手段が出力する他方の系統のデータとを、レジスタに供給する構成としたことで、畳み込み符号化されたデータをインターリーブして、ＯＦＤＭ変調信号とすることが、簡単な構成で効率良く行える。
【手続補正１２】
【補正対象書類名】明細書
【補正対象項目名】０１６３
【補正方法】変更
【補正の内容】
【０１６３】
また、逆フーリエ変換手段は、Ｑビットのワードのデータを並列処理することで、複数ビットで構成されるワード単位のデータの処理が簡単な構成で効率良く行える。
【手続補正１３】
【補正対象書類名】明細書
【補正対象項目名】０１６４
【補正方法】変更
【補正の内容】
【０１６４】
また本発明によると、所定のデータをインターリーブする第１及び第２のインターリーブ手段と、第１及び第２のインターリーブ手段から出力されるデータから逆フーリエ変換する逆フーリエ変換手段を備えたことで、短時間で逆フーリエ変換手段にインターリーブされたデータを入力させて処理できる構成とすることができる。
【手続補正１４】
【補正対象書類名】明細書
【補正対象項目名】０１６５
【補正方法】変更
【補正の内容】
【０１６５】
この場合、第１，第２のインターリーブ手段の出力を差動符号化する第１，第２の差動符号化手段を備えて、第１及び第２の差動符号化手段の符号化出力を逆フーリエ変換手段に供給することで、インターリーブされたデータを効率良く差動符号化して逆フーリエ変換できる。
【手続補正１５】
【補正対象書類名】明細書
【補正対象項目名】０１６６
【補正方法】変更
【補正の内容】
【０１６６】
また本発明によると、フーリエ変換されたデータから出力させるデータを選択する処理でデインターリーブ処理が行われ、デインターリーブ処理のための処理が簡単になると共に、デインターリーブ処理に時間がかからなくなり、復調処理にかかる時間を短縮できる。
【手続補正１６】
【補正対象書類名】明細書
【補正対象項目名】０１６７
【補正方法】削除
【補正の内容】
【手続補正１７】
【補正対象書類名】明細書
【補正対象項目名】０１６８
【補正方法】削除
【補正の内容】
【手続補正１８】
【補正対象書類名】明細書
【補正対象項目名】０１６９
【補正方法】削除
【補正の内容】
【手続補正１９】
【補正対象書類名】明細書
【補正対象項目名】０１７０
【補正方法】削除
【補正の内容】
【手続補正２０】
【補正対象書類名】明細書
【補正対象項目名】０１７１
【補正方法】削除
【補正の内容】
【手続補正２１】
【補正対象書類名】明細書
【補正対象項目名】０１７２
【補正方法】削除
【補正の内容】
【手続補正２２】
【補正対象書類名】明細書
【補正対象項目名】０１７３
【補正方法】削除
【補正の内容】
【手続補正２３】
【補正対象書類名】明細書
【補正対象項目名】０１７４
【補正方法】削除
【補正の内容】
【手続補正２４】
【補正対象書類名】明細書
【補正対象項目名】０１７５
【補正方法】削除
【補正の内容】
【手続補正２５】
【補正対象書類名】明細書
【補正対象項目名】０１７６
【補正方法】削除
【補正の内容】
【手続補正２６】
【補正対象書類名】明細書
【補正対象項目名】０１７７
【補正方法】変更
【補正の内容】
【０１７７】
また本発明によると、フーリエ変換されたデータから出力させるデータを選択手段で選択する際にデインターリーブ処理が行われ、フーリエ変換されたデータなどを記憶するメモリや、出力用のパラレル／シリアル変換器などの大規模な回路が必要ないと共に、出力選択と同時にデインターリーブ処理が行われるので、デインターリーブ処理を行うことにより、復調処理にかかる時間が長くなることがない。
【手続補正２７】
【補正対象書類名】明細書
【補正対象項目名】０１７８
【補正方法】変更
【補正の内容】
【０１７８】
この場合、出力順序データ生成手段として、カウント処理により出力順序に対応したデータを順次生成させるカウンタを使用したことで、カウンタを使用した簡単な構成で、適切なデインターリーブ処理が行える。
【手続補正２８】
【補正対象書類名】明細書
【補正対象項目名】０１７９
【補正方法】変更
【補正の内容】
【０１７９】
また、出力順序データ生成手段として、予め用意されたデータを順次出力させるシフトレジスタを使用した簡単な構成で、適切なデインターリーブ処理が行える。
【手続補正２９】
【補正対象書類名】明細書
【補正対象項目名】０１８０
【補正方法】変更
【補正の内容】
【０１８０】
また、フーリエ変換手段が出力するＮポイントのデータを、第１及び第２の選択手段に供給し、それぞれの選択手段で、出力順序データ生成手段の出力に基づいて個別にポイントを選択して出力させることで、複数系統の復調データを同時に得ることが簡単にできる。
【手続補正３０】
【補正対象書類名】明細書
【補正対象項目名】０１８１
【補正方法】変更
【補正の内容】
【０１８１】
また、第１，第２の選択手段で選択されたそれぞれのポイントのデータが供給されて、差動復調を行う差動復調手段を備えたことで、差動復調処理が簡単な構成で良好に行える。
【手続補正３１】
【補正対象書類名】明細書
【補正対象項目名】０１８２
【補正方法】変更
【補正の内容】
【０１８２】
また、出力順序データ生成手段の出力を、直接第１の選択手段に供給すると共に、所定期間遅延する遅延手段を介して第２の選択手段に供給することで、１個の出力順序データ生成手段だけを使用した簡単な構成で、２つの選択手段で適切な選択処理ができる。
【手続補正３２】
【補正対象書類名】明細書
【補正対象項目名】０１８３
【補正方法】変更
【補正の内容】
【０１８３】
また、第１，第２の選択手段で選択されたそれぞれのポイントのデータが供給されて、ビタビ復号を行うビタビ復号手段を備えたことで、簡単な構成で得られた複数系統の復調データから良好にビタビ復号が行える。
【手続補正３３】
【補正対象書類名】明細書
【補正対象項目名】０１８４
【補正方法】変更
【補正の内容】
【０１８４】
また、フーリエ変換手段が出力するＮポイントのデータを、４個の選択手段で個別に選択して、その個別に選択されたポイントのデータから２つの差動復調手段で個別に差動復調して、その２つの差動復調されたデータからビタビ復号する構成としたことで、差動復調された２つのデータに基づいたビタビ復号が良好に行える。
【手続補正３４】
【補正対象書類名】明細書
【補正対象項目名】０１８５
【補正方法】変更
【補正の内容】
【０１８５】
また、出力順序データ生成手段として、２個の出力順序データ生成手段を備えて、その２個の出力順序データ生成手段で生成されたデータと、それぞれで生成されたデータを遅延させたデータとで、４個の選択手段で個別にポイントのデータを選択することで、簡単な構成で、４個の選択手段で個別にポイントのデータを選択することができる。
【手続補正３５】
【補正対象書類名】明細書
【補正対象項目名】０１８６
【補正方法】変更
【補正の内容】
【０１８６】
また、４個の選択手段で個別にポイントのデータを選択する処理が、それぞれ別の出力順序データ生成手段の出力から行われ、個々の選択手段毎に最適な選択状態を設定させることが簡単にできる。
【手続補正３６】
【補正対象書類名】明細書
【補正対象項目名】０１８７
【補正方法】変更
【補正の内容】
【０１８７】
また、１個の出力順序データ生成手段の出力を、遅延手段による遅延処理と演算手段による加算処理で、４つのデータとして、その４つのデータを４個の選択手段に供給してポイントのデータを選択させることで、１個の出力順序データ生成手段だけを使用した簡単な構成で、２つの差動復調データに基づいたビタビ復号ができる。